【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
ポリマー成分として少なくとも１つのポリマー及び充填剤として少なくとも１つの炭酸カルシウム含有材料を含むポリマー組成物のコンパウンディングの前又はコンパウンディング中の少なくとも１つの一置換コハク酸無水物の使用であって、加工中のポリマー分解を低減させるためのもの、並びに／又はいかなる一置換コハク酸無水物も存在しない状態において同じ方法で処理された同じポリマー組成物と比較して、そのようなコンパウンディングされたポリマー組成物のメルトフローレートを少なくとも１０％減少させ、及び／又はそのようなコンパウンディングされたポリマー組成物の粘度を少なくとも１０％増加させるためのものであり、前記ポリマー組成物がポリ乳酸を含まない、使用。
【請求項２】
前記少なくとも１つの一置換コハク酸無水物が、置換基中にＣ２−Ｃ３０の総量の炭素原子を有する直鎖基、分岐鎖基、脂肪族基及び環状基から選択される基で一置換されたコハク酸無水物からなり、分岐鎖基の場合は置換基中にＣ３−Ｃ３０の総量の炭素原子を有し、並びに環状基の場合は置換基中にＣ５−Ｃ３０の総量の炭素原子を有する、請求項１に記載の使用。
【請求項３】
前記少なくとも１つの一置換コハク酸無水物が、置換基中にＣ３−Ｃ２５の総量の炭素原子を有する直鎖基、分岐鎖基、脂肪族基及び環状基から選択される基で一置換されたコハク酸無水物からなり、分岐鎖基の場合は置換基中にＣ３−Ｃ２５の総量の炭素原子を有し、並びに環状基の場合は置換基中にＣ５−Ｃ２５の総量の炭素原子を有する、請求項１に記載の使用。
【請求項４】
前記少なくとも１つの一置換コハク酸無水物が、少なくとも１つのアルキル一置換コハク酸無水物及び／又は少なくとも１つのアルケニル一置換コハク酸無水物である、請求項１〜３のいずれかに記載の使用。
【請求項５】
前記少なくとも１つのアルキル一置換コハク酸無水物が、エチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物及びこれらの混合物からなる群から選択され、並びに少なくとも１つのアルケニル一置換コハク酸無水物が、エテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物及びこれらの混合物を含む群から選択される、請求項４に記載の使用。
【請求項６】
前記少なくとも１つの一置換コハク酸無水物が、前記ポリマー組成物のコンパウンディングの前に使用され、前記少なくとも１つの一置換コハク酸無水物及び／又はその塩反応生成物が、前記少なくとも１つの炭酸カルシウム含有材料の表面上に存在する、請求項１〜５のいずれかに記載の使用。
【請求項７】
前記少なくとも１つの一置換コハク酸無水物を、前記ポリマー組成物のコンパウンディング中に使用し、前記少なくとも１つの一置換コハク酸無水物を、ポリマー成分として少なくとも１つのポリマー及び充填剤として少なくとも１つの炭酸カルシウム含有材料を含む前記ポリマー組成物と混合しながら接触させる、請求項１〜６のいずれかに記載の使用。
【請求項８】
前記少なくとも１つの一置換コハク酸無水物及び／又はその塩反応生成物が、前記少なくとも１つの炭酸カルシウム含有充填剤材料の総乾燥重量に基づいて、少なくとも０．１重量％の量で前記ポリマー組成物中に存在する、請求項１〜７のいずれかに記載の使用。
【請求項９】
前記少なくとも１つの一置換コハク酸無水物及び／又はその塩反応生成物が、前記少なくとも１つの炭酸カルシウム含有充填剤材料の総乾燥重量に基づいて、少なくとも０．１〜４．０重量％の量で前記ポリマー組成物中に存在する、請求項１〜７のいずれかに記載の使用。
【請求項１０】
前記ポリマー成分が、化石燃料から得られるポリマーを含む、請求項１〜９のいずれかに記載の使用。
【請求項１１】
前記化石燃料から得られるポリマーが、ポリオレフィンから選択される、請求項１０に記載の使用。
【請求項１２】
前記ポリマー成分が、バイオポリマーから得られるポリマーを含む、請求項１〜１１のいずれかに記載の使用。
【請求項１３】
前記バイオポリマーから得られるポリマーが、ポリブチレートアジペートテレフタレート（ＰＢＡＴ）、ポリヒドロキシブチレート（ＰＨＢ）、ポリヒドロシキバレレート（ＰＨＶ）、ポリヒドロキシヘキソネート（ＰＨＨ）、ポリヒドロキシオクタノエート（ＰＨＯ）及びポリヒドロキシアルカノエートのコポリマーから成る群から選択されるポリヒドロキシアルカノレート（ＰＨＡ）、ポリカプロラクトン（ＰＣＬ）、ポリグリコール酸（ＰＧＡ）、ポリブチレンサクシネート（ＰＢＳ）、ポリブチレンサクシネートアジペート（ＰＢＳＡ）、ポリトリメチレンテレフタレート（ＰＴＴ）、ポリブチレンテレフタレート（ＰＢＴ）、ポリブチレンサクシネートテレフタレート（ＰＢＳＴ）、セロファン（ＣＨ）、セルロースエーテル、セルロースエステル、酢酸デンプン及び／又はデンプンブレンド物から選択される、請求項１２に記載の使用。
【請求項１４】
前記少なくとも１つの一置換コハク酸無水物及び／又はその塩反応生成物が、前記ポリマー成分の総重量に基づいて、少なくとも０．００５重量％の量で前記ポリマー組成物中に存在する、請求項１〜１３のいずれかに記載の使用。
【請求項１５】
前記少なくとも１つの一置換コハク酸無水物及び／又はその塩反応生成物が、前記ポリマー成分の総重量に基づいて、０．０１〜５．０重量％の量で前記ポリマー組成物中に存在する、請求項１〜１３のいずれかに記載の使用。
【請求項１６】
前記炭酸カルシウム含有材料が、重質炭酸カルシウム、沈降炭酸カルシウム、及びこれらの混合物からなる群から選択される、請求項１〜１５のいずれかに記載の使用。
【請求項１７】
前記重質炭酸カルシウムが、大理石、石灰岩、ドロマイト及び／又はチョークであり、前記沈降炭酸カルシウムが、バテライト、カルサイト及び／又はアラゴナイトである、請求項１６に記載の使用。
【請求項１８】
前記炭酸カルシウム含有材料が、
ｉ）０．１μｍ〜２０μｍの範囲内の範囲内の重量メジアン粒径ｄ５０値を有する、並びに／又は
ｉｉ）≦５０μｍのトップカット（ｄ９８）を有する、並びに／又は
ｉｉｉ）ＩＳＯ  ９２７７：２０１０による窒素及びＢＥＴ法を使用する測定で、０．５〜１５０ｍ２／ｇの比表面積（ＢＥＴ）を有する、並びに／又は
ｉｖ）前記少なくとも１つの炭酸カルシウム含有材料の総乾燥重量に基づいて、０．０１重量％〜１重量％の残留総水分含有量を有する、
請求項１〜１７のいずれかに記載の使用。
【請求項１９】
前記炭酸カルシウム含有材料が、
ｉ）０．２５μｍ〜１５μｍの範囲内の重量メジアン粒径ｄ５０値を有する、並びに／又は
ｉｉ）≦３０μｍのトップカット（ｄ９８）を有する、並びに／又は
ｉｉｉ）ＩＳＯ  ９２７７：２０１０による窒素及びＢＥＴ法を使用する測定で、１〜６０ｍ２／ｇの比表面積（ＢＥＴ）を有する、並びに／又は
ｉｖ）前記少なくとも１つの炭酸カルシウム含有材料の総乾燥重量に基づいて、０．０２重量％〜０．５重量％の残留総水分含有量を有する、
請求項１〜１７のいずれかに記載の使用。
【請求項２０】
前記炭酸カルシウム含有材料が、前記ポリマー成分の総重量に基づいて、０．１〜８５重量％の量で前記ポリマー組成物中に存在する、請求項１〜１９のいずれかに記載の使用。
【請求項２１】
前記炭酸カルシウム含有材料が、前記ポリマー成分の総重量に基づいて、３〜５０重量％の量で前記ポリマー組成物中に存在する、請求項１〜１９のいずれかに記載の使用。
【請求項２２】
前記ポリマー組成物がさらなる添加物を含む、請求項１〜２１のいずれかに記載の使用。
【請求項２３】
前記さらなる添加物が、着色顔料、染料、ワックス、潤滑剤、酸化−及び／又はＵＶ−安定化剤、酸化防止剤、並びにタルクから選択される、請求項２２に記載の使用。
【請求項２４】
加工中のポリマー分解を低減させ、並びに／又はいかなる一置換コハク酸無水物も存在しない状態において同じ方法で処理された同じポリマー組成物と比較して、ポリマー成分として少なくとも１つのポリマー及び充填剤として少なくとも１つの炭酸カルシウム含有材料を含むポリマー組成物のメルトフローレートを少なくとも１０％減少させ、及び／又はポリマー成分として少なくとも１つのポリマー及び充填剤として少なくとも１つの炭酸カルシウム含有材料を含むポリマー組成物の粘度を少なくとも１０％増加させる方法であって、前記方法が、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含み、
前記ポリマー組成物がポリ乳酸を含まない、
方法。
【請求項２５】
接触ステップｄ）において、最初に、ステップｂ）の前記少なくとも１つの炭酸カルシウム含有材料を、１つ以上のステップにおいて、ステップｃ）の前記少なくとも１つの一置換コハク酸無水物と混合しながら接触させ、それにより、前記少なくとも１つの一置換コハク酸無水物及び／又はその塩反応生成物を含む処理層が、ステップｂ）の前記少なくとも１つの炭酸カルシウム含有材料の表面上に形成され、並びに次に、この表面処理された炭酸カルシウム含有材料を、１つ以上のステップにおいて、前記少なくとも１つのポリマーと混合しながら接触させる、請求項２４に記載の方法。
【請求項２６】
衛生製品、医療及びヘルスケア製品、フィルター製品、ジオテキスタイル製品、農業及び園芸用製品、衣類、履物及びバッグ製品、家庭用及び産業用製品、パッケージング製品、及び建設用製品における、ポリマー組成物の使用であって、前記ポリマー組成物が、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができ、前記ポリマー組成物がポリ乳酸を含まない、使用。
【請求項２７】
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができるポリマー組成物を含む物品であって、前記物品が、衛生製品、医療及びヘルスケア製品、フィルター製品、ジオテキスタイル製品、農業及び園芸用製品、衣類、履物及びバッグ製品、家庭用及び産業用製品、パッケージング製品、及び建設用製品を含む群から選択され、前記ポリマー組成物がポリ乳酸を含まない、物品。